(57)【要約】【課題】多機能の傘柄を提供する。【解決手段】    本考案の傘柄が、傘骨の上端に設けられ、前記傘柄は、中空の収納部１と、活動的に前記の収納部の開き口１１を覆う蓋体部２とを含み、前記収納部１は、傘骨と固定的に接続し、前記蓋体部２は、前記収納部１に相対して、下側へ移動可能なため、フックを形成する。本考案の傘柄は、簡単に傘カバーを収納でき、その体積が小さく、しかも雨傘を掛けて保管できる。 【選択図】図４
0003196928.tif 000002
【実用新案登録請求の範囲】
【請求項１】
多機能の傘柄に関し、該傘柄は、傘骨の上端に設けられ、前記傘柄が、中空の収納部（１）と、活動的に前記の収納部の開き口（１１）を覆う蓋体部（２）とを含み、前記収納部は、傘骨と固定的に接続され、前記蓋体部は、前記収納部に相対して、下側へ移動可能であり、フックを形成することができることを特徴とする傘柄。
【請求項２】
蓋体部の下縁に、滑り止め片（３）を設けることを特徴とする請求項１に記載の多機能の傘柄。
【請求項３】
前記滑り止め片は、柔らかいゴムで製造されることを特徴とする請求項２に記載の多機能の傘柄。
【請求項４】
前記収納部の開き口は、斜面になっており、前記傘骨との間の夾角と鋭角を呈することを特徴とする請求項１に記載の多機能の傘柄。
【請求項５】
前記収納部の開き口が、前記傘骨との間の夾角は、２５〜３５度になることを特徴とする請求項１に記載の多機能の傘柄。
【請求項６】
前記蓋体部が、前記収納部の開き口を覆っている時、前記収納部と前記蓋体部との形態は、球形を呈するが、前記収納部の開き口は、その球体の断面になることを特徴とする請求項１に記載の多機能の傘柄。
【請求項７】
前記蓋体部と前記収納部は、前記収納部の開き口の下側に設けられているピボット軸の接続によって、前記蓋体部が、前記収納部に相対し、１８０度回転して下に向かって移動可能ため、フックを形成することを特徴とする請求項６に記載の多機能の傘柄。
【請求項８】
前記蓋体部と前記収納部は、お互いに、スライドレールを介して接続されることを特徴とする請求項１に記載の多機能の傘柄。
【請求項９】
前記蓋体部が、前記収納部の開き口を覆っている時、前記収納部と前記蓋体部との形態は、その最大の幅が、雨傘を閉じて傘カバーに収納されている最大の幅を超えないことを特徴とする請求項１に記載の多機能の傘柄。
【考案の詳細な説明】
【技術分野】
【０００１】
本考案は、傘の技術に関し、特に、多機能の傘柄に関する。
【背景技術】
【０００２】
市場においては、傘は、一般的に、傘カバーを有し、その傘カバーは、傘と、それぞれ独立して設けられ、使用者は、傘カバーを取り外して、傘を使用している時、傘カバーを収納する固定的な位置がないため、多くの時、気の向くまま傘カバーをいずれかの場所に放置して、その結果、傘カバーの紛失の原因ともなっていた。それ以外に、傘の傘柄の末端は、フック状と呈してあるが、それによって、雨傘を使ってない時、その雨傘が掛けられ、保管できる。しかし、フック状の傘柄は、一般的にその体積が大きくて、特に、携帯性を強調している伸縮傘の応用に対して、それは不適切である。いくつかの伸縮傘の体積を更に小さくするため、傘柄を円球形あるいは細長形に設計させることになり、それによって、雨傘が掛けられなくなることとなり、非常に不便である。
【考案の概要】
【考案が解決しようとする課題】
【０００３】
本考案の目的は、既存技術の欠点と不足を克服することであって、便利に傘カバーを収納でき、小さい体積を有し、しかも雨傘を掛けて保管できる傘柄を提供する。
【課題を解決するための手段】
【０００４】
本考案の目的は、下記の技術的手段によって実現する；
傘骨の上端に設けられ、いる多機能の傘柄であって、その特徴は、前記傘柄が、中空の収納部と、活動的に前記の収納部の開き口を覆う蓋体部とを含み、前記収納部は、傘骨と固定的に接続し、前記蓋体部は、前記収納部に相対して、下側へ移動可能なため、フックを形成する。
【０００５】
蓋体部の下縁部に、滑り止め片を設けおり、前記滑り止め片は、柔らかいゴムで製造される。
【０００６】
前記収納部の開き口は、斜面になっており、それによって、前記傘骨との間の夾角と鋭角を呈し、その夾角は、好ましくは２５〜３５度である。
【０００７】
前記蓋体部が、前記収納部の開き口を覆っている時、前記収納部と前記蓋体部との形態は、球形を呈するが、前記収納部の開き口は、その球体の断面になる。
【０００８】
前記蓋体部と前記収納部は、前記収納部の開き口の下側に設けられ、いるピボット軸の接続によって、前記蓋体部が、前記収納部に相対し、１８０度回転して下に向かって移動可能なため、フックを形成する。
【０００９】
他の実施形態では、前記蓋体部と前記収納部は、また、お互いに、スライドレールを介して接続されている。
【００１０】
前記蓋体部が、前記収納部の開き口を覆っている時、前記収納部と前記蓋体部との形態は、その最大の幅が、雨傘を閉じて傘カバーに収納されている最大の幅を超えない。
【考案の効果】
【００１１】
本考案による傘柄を採用して、雨傘を使用した場合、傘カバーを取り外して、前記収納部に収納させうるため、傘カバーをなくすことを免れることができる。雨傘を使用しない場合、傘カバーを前記収納部から取出して雨傘にかぶせ、そして、前記蓋体部を前記収納部に相対して、下側へ移動可能なため、フックを形成して、雨傘を掛けることができる。蓋体部の下側に設けられている滑り止め片は、前記蓋体部が前記フック平面との間の摩擦力を増加でき、それによって、傘柄が簡単に滑って落ちることはない。収納している状態の時、前記滑り止め片は、前記蓋体部が、前記収納部の位置に維持するのに役立つ。本考案による傘柄の構造は、収納する状態の時、その最大の幅が、雨傘を閉じて傘カバーに収納させている最大の幅を超えない。
【考案を実施するための形態】
【００１２】
以下、実施例と図面に基づき実施例について本考案を詳説するが、本考案の実施例に限定されるものではない。
図１〜図４に示すように、本傘柄の実施例の傘柄が、傘骨の上端に設けられ、前記傘柄は、中空の収納部１と、活動的に前記の収納部の開き口１１を覆う蓋体部２とを含み、前記収納部１は、傘骨と固定的に接続し、前記蓋体部２は、前記収納部１に相対して、下側へ移動可能なため、フックを形成する。蓋体部２の下縁に、滑り止め片３を設け、前記滑り止め片３は、柔らかいゴムで製造される。前記収納部の開き口１１は、斜面になっており、それによって、前記傘骨との間の夾角と鋭角を呈し、本実施例の夾角は、２７度である。前記蓋体部２が、前記収納部の開き口１１を覆っている時、前記収納部１と前記蓋体部２との形態は、球形を呈するが、前記収納部の開き口１１は、その球体の断面になる。前記蓋体部２と前記収納部１は、前記収納部の開き口１１の下側に設けられているピボット軸４の接続によって、前記蓋体部２が、前記収納部１に相対し、１８０度回転して下に向かって移動可能なため、フックを形成する。前記蓋体部２が、前記収納部の開き口１１を覆っている時、前記収納部１と前記蓋体部２との形態は、その最大の幅が、雨傘を閉じて傘カバーに収納されている最大の幅を超えない。
【００１３】
上述した実施形態は、本考案の好ましい実施形態であって、しかしながら、上述した実施形態に限定されるものではなく、その他、要するに本考案の精神から逸脱することなく、本考案に類似の種々実質的なまた原理的な変更、補正、置換、組合せ、簡素化されたものも、本考案の申請の範疇であるものと見なす。例えば、前記蓋体部と前記収納部は、また、お互いに、スライドレールを介して接続されている。前記蓋体部２が、前記収納部の開き口１１を覆っている時、前記収納部１と前記蓋体部２との形態は、他の形状ともなれる。 
【００１４】
１      収納部
２      蓋体部
３      滑り止め片
４      ピボット軸
１１    収納部の開き口 
【図面の簡単な説明】
【００１５】
【図１】本考案による傘柄の実施形態の構造を示す図である。
【図２】本考案による傘柄の他の実施形態の構造を示す図である。
【図３】本考案による傘柄の他の実施形態の構造を示す図である。
【図４】本考案による傘柄の他の実施形態の使用状態を示す図である。
【図１】
0003196928.tif 000003
【図２】
0003196928.tif 000004
【図３】
0003196928.tif 000005
【図４】
0003196928.tif 000006